(57)【要約】      （修正有）【課題】小便器下方に飛散する尿や先浄水を箱体の中に収納した取り替え可能な吸収材等で吸収する小便器用ステップを提供する。【解決手段】小便器の手前下のおだれ部に敷設されるステップを薄箱型に形成するとともに、箱型本体の上面に複数個の穴を穿設し、内部に液体吸着用の吸収材を装填した小便器用ステップにおいて、箱型本体は、側面を開口とした外箱の内部に上部を開口とした内箱を収納した構成であり、外箱の一側面から内箱をスライドさせて引き出す構造である。【選択図】図１
0003136496.tif 000002
【実用新案登録請求の範囲】
【請求項１】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、側面を開口とした外箱の内部に上部を開口とした内箱を収納した構成であり、外箱の一側面から内箱をスライドさせて引き出す構造であることを特徴とする小便器用ステップ。
【請求項２】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上蓋の形状をした凹部の凹設されている下箱に下面を開口とした上蓋を覆装した構造であることを特徴とする小便器用ステップ。
【請求項３】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上部を開口とした下箱に穴の穿設された上蓋を開閉自在に枢着した構造であることを特徴とする小便器用ステップ。
【請求項４】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上部を開口とした下箱に、下部を開口とした上蓋を被嵌した構造であることを特徴とする小便器用ステップ。
【請求項５】
前記箱型本体は、箱体が外れることを防止するために上蓋と下箱を挟持する挟持部を横側面に設けたことを特徴とする請求項３または４記載の小便器用ステップ。
【請求項６】
前記箱型本体は、小便器用ステップの小便器側の端面に設けられた係止部により上蓋と下箱が開閉自在に枢設されていることを特徴とする請求項２乃至５記載の小便器用ステップ。
【請求項７】
前記上蓋は、小便器に対向する端面を傾斜に形成したことを特徴とする請求項１乃至６記載の小便器用ステップ。
【請求項８】
前記箱型本体の上面に穿設される穴が円形であることを特徴とする請求項１乃至７記載の小便器用ステップ。
【請求項９】
前記下箱または内箱は、吸収材を収容する底面を上げ底にするために底面に突部を設けたことを特徴とする請求項１乃至８記載の小便器用ステップ。
【請求項１０】
前記箱型本体は、金属製、人工樹脂製または硬質ゴム製であることを特徴とする請求項１乃至９記載の小便器用ステップ。
【考案の詳細な説明】
【技術分野】
【０００１】
本考案は、小便器の手前下方のおだれ部に敷設される足を乗せるステップに関し、特に、清潔に保つために汚水等の液体を吸着する吸収材が内部に収納されるとともに、吸収材の交換が容易であり、かつ人が出入する側の段差をなくすようにスロープを設けて安全な構造とした小便器用ステップに関する。
【背景技術】
【０００２】
小便器の手前下のおだれ部には、小便器から飛散した尿・洗浄水から床面を保護するため、おだれ石が使用されている。おだれ石は使用者が足を乗せるステップの役割も果たしており、通常、磁器タイル等を加工した板状のおだれ石が使用されている。
【０００３】
このおだれ石には、板面に付着した尿や洗浄水を吸収する作用がなく、履物を汚したり臭いの原因となる等、衛生面での問題があり、長期の使用では使用者にも不快感を与えていた。特に、利用者の多い店舗や公共トイレでは、汚れやすいため掃除を頻繁に行う必要があるが、掃除には時間がかかるため、おだれ部まで充分に衛生面の管理が行き届き難いという問題があった。
そのため、おだれ部を常に清潔に保ち、臭気の発生を抑えることのできる掃除の手間がかからないステップの開発が望まれていた。
【０００４】
また、飲食店や公共のトイレ等では、使用時に利用者が小便器用ステップの段差に躓くことがあるという問題があった。特に、病院のトイレでは、段差があることにより車椅子利用者が使用できないという弊害が生じていた。
【特許文献１】特開２００２−３６４０５８号
【考案の開示】
【考案が解決しようとする課題】
【０００５】
本考案は上記問題点を解決するために、小便器手前下に敷設されるステップであって、汚水を吸収する吸収材を内部に収納するとともに、吸収材の交換が容易であり、スロープを設けることにより衛生面と安全面に配慮した薄箱型の小便器用ステップを提供することを目的とする。
【課題を解決するための手段】
【０００６】
上記の目的を達成するために本考案に係る小便器用ステップは、小便器の手前下のおだれ部に敷設されるステップを薄箱型に形成するとともに、箱型本体の上面に複数個の穴を穿設し、内部に液体吸着用の吸収材を装填した小便器用ステップにおいて、前記箱型本体は、側面を開口とした外箱の内部に上部を開口とした内箱を収納した構成であり、外箱の一側面から内箱をスライドさせて引き出す構造である。または、小便器の手前下のおだれ部に敷設されるステップを薄箱型に形成するとともに、箱型本体の上面に複数個の穴を穿設し、内部に液体吸着用の吸収材を装填した小便器用ステップにおいて、前記箱型本体は、上蓋の形状をした凹部を凹設されている下箱に下面を開口とした上蓋を覆装した構造である。
【０００７】
また、小便器の手前下のおだれ部に敷設されるステップを薄箱型に形成するとともに、箱型本体の上面に一又は複数個の穴を穿設し、内部に液体吸着用の吸収材を装填した小便器用ステップにおいて、前記箱型本体は、上部を開口とした下箱に穴の穿設された上蓋を開閉自在に枢着した構造である。または、小便器の手前下のおだれ部に敷設されるステップを薄箱型に形成するとともに、箱型本体の上面に複数個の穴を穿設し、内部に液体吸着用の吸収材を装填した小便器用ステップにおいて、前記箱型本体は、上部を開口とした下箱に、下部を開口とした上蓋を被嵌した構造である。
【０００８】
さらに、前記箱型本体は、上蓋と下箱とからなる箱体が外れることを防止するために上蓋と下箱を挟持する挟持部を横側面に設けた構造であり、前記箱型本体は、小便器用ステップの小便器側の端面に設けられた係止部により上蓋と下箱が開閉自在に枢設されている構造である。
【０００９】
また、前記上蓋は、小便器に対向する端面を傾斜に形成した構造である。また、前記箱型本体の上面に穿設される穴が円形である。さらに、前記下箱または内箱は、吸収材を収容する底面を上げ底にするために底面に突部を設けた構造である。また、前記箱型本体は、金属製、人工樹脂製または硬質ゴム製で形成されている。
【考案の効果】
【００１０】
本考案に係る小便器用ステップは、上記詳述した通りの構成であるので、以下のような効果がある。
１．飛散した尿や汚水が上面の穴を通じて吸収材に吸着されるので小便器用ステップの上面は常に清潔に保たれ、臭気の発生を最小限に抑えることができる。また、スライドさせる構造であるため、吸収材の交換が容易である。
２．上蓋が下箱に嵌装されるため、外れることなく安全な構造である。
３．上蓋と下箱が枢着されているため、開閉が容易であり吸収材の交換が簡単に行える。
４．上蓋を被せる構造であるため、構造が簡易で吸収材の交換が容易な構造である。
【００１１】
５．上蓋と下箱が挟持部で挟持されることにより、上蓋が外れることなく安全な構造である。また、吸収材による上蓋の盛り上がりを押さえることができ、吸収効率を上げることができる。
６．係止部により上蓋を容易に開閉することができ、吸収材の交換が容易である。また、上蓋が嵌め込み易い構造である。
７．手前側を傾斜にすることにより段差を無くしたので、躓きを有効に防止することができ、また、車椅子使用者でも安全に使用することができる。
【００１２】
８．穴が円形に形成されているため、吸収材が均一に盛り上がり、穴の形成されていない上蓋または上箱の上面部分に付着した液体も吸収でき、吸収効率が上がる。
９．底面が上げ底に形成されているため、吸収材が穴から盛り上り、上面に付着した液体に対する吸収効率を保つことができる。
１０．箱体が金属で形成されることにより、耐食性、耐久性に優れ、長期の使用が可能である。また、人工樹脂、硬質ゴムを用いることにより、加工性がよく、製造コストを抑えることができる。
【考案を実施するための最良の形態】
【００１３】
以下に本考案を図面に示す実施例により詳細に説明する。図１から図４は本考案に係る小便器用ステップの斜視図である。図５は本考案の挟持部の断面図であり、図６は本考案の係止部の斜視図であり、図７は本考案の突部の斜視図および断面図である。また、図８は本考案の小便器用ステップを設置した状態を示す図である。
【００１４】
図１に示す本考案の小便器用ステップ１０は、内箱３０と、外箱４０と、からなる箱型本体２０に、吸収材５０を収納した構成である。
箱型本体２０は、側面を開口とした外箱４０の内部に内箱３０が収容される構造であり、内箱３０は外箱４０の開口側面からスライドさせて着脱することが可能である。内箱３０には吸収材５０を収納する収納部５２が凹設されており、内箱３０を取り外すことによって内部に装填された吸収材５０を交換することができる。
【００１５】
図２は本考案に係る小便器用ステップの別の実施例の斜視図である。
この実施例の小便器用ステップ１２は、上蓋３２と、下箱４２と、からなる箱型本体２２に、吸収材５０を収納した構成である。
この実施例の箱型本体２２は、下箱４２の中央に上蓋３２の全体を嵌装できる大きさの四角形の収納部５２が凹設されている。収納部５２は、下箱４２の上面に設けられており、四角形だけではなく上蓋３２の形状に応じて適宜形状を変更することが可能であり、蓋体３２を嵌脱可能に嵌入できる形状に凹設される。嵌装された上蓋３２を取り外して内部の吸収材５０を交換する。
【００１６】
図３は本考案に係る小便器用ステップの別の実施例の斜視図である。
この実施例の小便器用ステップ１４は、上蓋３４と、下箱４４と、からなる箱型本体２４に、吸収材５０を収納した構成である。
この箱型本体２４は、吸収材５０の収納部５２を凹設した下箱４４に、上面に穴が穿設された上蓋３４が開閉可能に枢着されている。上蓋３４を開けることにより、内部の吸収材５０を交換することができる。
【００１７】
図４は本考案に係る小便器用ステップの別の実施例の斜視図である。
この実施例の小便器用ステップ１６は、上蓋３６と、下箱４６と、からなる箱型本体２６に、吸収材５０を収納した構成である。
この箱型本体２６の上蓋３６は、下箱４６の外枠の幅より大きめに作成されており、上蓋３６は下部を開口として下箱４６を覆う構造である。下箱４６には吸収材５０を収納する収納部５２が凹設され、上蓋３６を外して内部の吸収材５０を交換する。
【００１８】
吸収材５０は、液体を吸収・吸着する部材であり、液体を吸収する機能を有する素材であればよい。固体や粒状材であっても良いが、取替え容易となるように厚布帯部材、例えば、不織布等の中に高吸水性の樹脂を混入されたもの等を使用することが望ましい。図１から図４に示す実施例では箱型本体２０、２２、２４、２６の形状に合わせて四角形の吸収材５０となっているが、形状は限定されない。収納部５２の形状に合わせて凹部の形状を適宜変更することが可能である。
吸収材に尿や洗浄水を吸収させることにより臭いの流出を防ぐことができる。また、より消臭効果を高めるために、消臭剤や脱臭剤を混合した構成、また、芳香剤を添加した吸収材５０とすることも可能である。
【００１９】
小便器用ステップ１０、１２、１４、１６は、それぞれ小便器に対向する端面に傾斜面６０を形成した形状とすることが可能である。また、吸収材５０を収納する収納部５２を上げ底形にするために底面に突部７０を立設する構造とすることも可能である。
【００２０】
傾斜面６０は、図２または図４に示すように、小便器に対向する手前側の端面に設けられる。傾斜面６０により小便器用ステップ１０、１２、１４、１６と床面とを緩斜面で繋いでおり、この傾斜により使用者が躓くことを防止し、車椅子使用者も安心して使用できる。
【００２１】
突部７０は、吸収材５０を収納する内箱３０または下箱３２、３４、３６の収納部の底面に立設され、吸収材４０を箱型本体２０、２２、２４、２６の上面に密着させるため部材である。複数の突部７０を立設しすることにより全体の底面が上げ底部を形成する。上面に密着した吸収材５０により、箱型本体の表面に付着した尿や洗浄水を効果的に吸収できる構造である。
図４および図７に示すように、本実施例では、下箱４６の底面に突条に形成された突部７０を複数本並べた構造であるが、突部７０の形状は特定されず、突起状の突部を複数設ける等、底面全体を上げ底にできる形状であればよい。
【００２２】
また、上蓋３４と下箱４４とからなる箱型本体２４、または、上蓋３６と下箱４６とからなる箱型本体２６は、横側面に設けられた挟持部８０によって挟持することが可能である。図５に示すように、挟持部８０は箱型本体の厚みより大きな幅を持った断面がコの字型の部材であり、コの字状に形成された凹部で上蓋と下箱を上下から挟持する構成である。挟持部８０は、上蓋または下箱のどちらか一方に取付けられる。また、挟持部８０に摘まみを設けることで、取付け、取外しが容易な構造とすることも可能である。挟持部８０により、上蓋が下箱から外れることを防ぐことができ、安全な構造となっている。
【００２３】
さらに、上蓋３２、３４、３６と下箱４２、４４、４６とからなる箱型本体２２、２４、２６は、側面に上蓋と下箱を係止する係止部９０を設けた構造とすることが可能である。係止部９０は、蝶番によって係止する構造や、図６に示すように、上蓋または下箱の一方に係合穴９２を穿設し、他方に係合突起９４を突設して係合する構造とすることが可能である。係止部９０を枢軸として上蓋と下箱を開閉することが可能であり、吸収材５０の交換を容易に行うことができる。
【００２４】
箱型本体２０、２２、２４、２６の上面に形成される穴６５の形状は、円形、長円形あるいは正方形、長方形等々自由に選択することができるが、効果的に汚水を吸収するために円形に形成することが望ましい。吸収材５０は尿や洗浄水を吸収することで体積が膨張するが、特に円形の穴に形成することで、吸収材５０が穴６５から均一に盛り上がり、穴の周縁やステップ上面に付着した尿等をしっかり吸収することができる。また、穴６５の配置は、碁盤目状、ジグザグ状、同心円状その他任意の配列が可能である。図４に示すように、足型形状に穴６５を設けることで利用者の足位置が定まりやすくなり、汚水を効率的に吸収できる。
【００２５】
また、箱型本体２０、２２、２４、２６の材質は金属、人工樹脂、硬質ゴム等を用いることができる。金属製の場合、特にステンレスが好適に用いられる。ステンレスは腐食に強く耐久性があり、金属光沢が清潔感を与えるためである。
なお、人が乗ることを考慮し、強度を高めるために箱型本体の内部に梁を設けてもよい。
【００２６】
図８は本考案に係る小便器用ステップをトイレ内に設置した状態を示す図である。図８（ａ）は壁掛型小便器に用いる場合であり、小便器用ステップ１０、１２、１４、１６は小便器１手前直下の床の上に敷設される。
なお、図８（ｂ）のようにストール型小便器２に用いる場合には、小便器用ステップ１０、１２、１４、１６の形状は小便器２の下部の形状に合わせた形状とすることが可能である。また、小便器用ステップは、フック等で床面に着脱可能に固定する構成としてもよい（図示省略）。
【００２７】
飛散して小便器用ステップに付着した尿や先浄水は、多数の穴６５を通じて小便器用ステップの内部に侵入し、吸収材５０によって吸収されるので、異臭を放することもなく、また使用者の靴等を汚す心配がない。また、傾斜面を設けたことで躓くことなく、車椅子使用者でも安全に利用することができる。また、吸収材の交換も容易に行うことができ、トイレの床面の外観を清潔に保つことができる。
【図面の簡単な説明】
【００２８】
【図１】本考案に係る小便器用ステップの斜視図
【図２】本考案に係る小便器用ステップの別の実施例を示す斜視図
【図３】本考案に係る小便器用ステップのさらに別の実施例を示す斜視図
【図４】本考案に係る小便器用ステップのさらに別の実施例を示す斜視図
【図５】本考案の挟持部の断面図
【図６】本考案の係止部の斜視図
【図７】本考案の突部の斜視図および断面図
【図８】本考案に係る小便器用ステップを設置した状態を示す図
【符号の説明】
【００２９】
１、２  小便器
１０、１２、１４、１６  小便器用ステップ
２０、２２、２４、２６  箱型本体
３０  内箱
３２、３４、３６  上蓋
４０  外箱
４２、４４、４６  下箱
５０  吸収材
５２  収納部
６０  傾斜面
６５  穴
７０  突部
８０  挟持部
９０  係止部
９２  係合穴
９４  係合突起
【図１】
0003136496.tif 000003
【図２】
0003136496.tif 000004
【図３】
0003136496.tif 000005
【図４】
0003136496.tif 000006
【図５】
0003136496.tif 000007
【図６】
0003136496.tif 000008
【図７】
0003136496.tif 000009
【図８】
0003136496.tif 000010
【手続補正書】
【提出日】平成19年7月31日(2007.7.31)
【手続補正１】
【補正対象書類名】実用新案登録請求の範囲
【補正対象項目名】全文
【補正方法】変更
【補正の内容】
【実用新案登録請求の範囲】
【請求項１】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、側面を開口とした外箱の内部に上部を開口とした内箱を収納した構成であり、外箱の一側面から内箱をスライドさせて引き出す構造であることを特徴とする小便器用ステップ。
【請求項２】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上蓋の形状をした凹部の凹設されている下箱に下面を開口とした上蓋を覆装した構造であることを特徴とする小便器用ステップ。
【請求項３】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上部を開口とした下箱に穴の穿設された上蓋を開閉自在に枢着した構造であることを特徴とする小便器用ステップ。
【請求項４】
小便器の手前下のおだれ部に敷設されるステップを薄箱型に形成するとともに、箱型本体の上面に複数個の穴を穿設し、内部に液体吸着用の吸収材を装填した小便器用ステップにおいて、
前記箱型本体は、上部を開口とした下箱に、下部を開口とした上蓋を被嵌した構造であることを特徴とする小便器用ステップ。
【請求項５】
前記箱型本体は、箱体が外れることを防止するために上蓋と下箱を挟持する挟持部を横側面に設けたことを特徴とする請求項３または４記載の小便器用ステップ。
【請求項６】
前記箱型本体は、小便器用ステップの小便器側の端面に設けられた係止部により上蓋と下箱が開閉自在に枢設されていることを特徴とする請求項２乃至５のいずれか１項に記載の小便器用ステップ。
【請求項７】
前記上蓋は、小便器に対向する端面を傾斜に形成したことを特徴とする請求項１乃至６のいずれか１項に記載の小便器用ステップ。
【請求項８】
前記箱型本体の上面に穿設される穴が円形であることを特徴とする請求項１乃至７のいずれか１項に記載の小便器用ステップ。
【請求項９】
前記下箱または内箱は、吸収材を収容する底面を上げ底にするために底面に突部を設けたことを特徴とする請求項１乃至８のいずれか１項に記載の小便器用ステップ。
【請求項１０】
前記箱型本体は、金属製、人工樹脂製または硬質ゴム製であることを特徴とする請求項１乃至９のいずれか１項に記載の小便器用ステップ。